(57)【要約】【課題】照明装置を容易に制御可能な自転車用の表示装置を、提供することにある。【解決手段】本自転車用のサイクルコンピュータ５０は、照明装置４０を制御可能である。表示装置５０は、本体部５１と、表示部５４と、制御部５５とを、備える。表示部５４は、各種情報を表示可能であり、本体部５１に配置される。制御部５５は、照明装置４０を制御するための制御情報に基づいて、制御信号を自動的に外部に出力する。【選択図】図４
2017030701.tif 000002
【特許請求の範囲】
【請求項１】
照明装置を制御可能な自転車用の表示装置であって、
本体部と、
前記本体部に配置され、所定の情報を表示可能な表示部と、
前記照明装置を制御するための制御情報に基づいて、制御信号を自動的に外部に出力する制御部と、
を備える自転車用の表示装置。
【請求項２】
前記本体部に配置される照度センサ、
をさらに備え、
前記制御情報は、前記照度センサが検知した照度情報を、含み、
前記制御部は、前記照度情報に基づいて前記照明装置を点灯するための前記点灯信号を出力する、
請求項１に記載の自転車用の表示装置。
【請求項３】
前記制御部は、前記照度情報を、前記表示部に表示させる、
請求項２に記載の自転車用の表示装置。
【請求項４】
前記制御情報を記録するための記録部、
をさらに備え、
前記制御情報は、前記照明装置を制御するための設定情報を含み、
前記制御部は、前記設定情報を、前記表示部に表示させる、
請求項１から３のいずれか１項に記載の自転車用の表示装置。
【請求項５】
前記設定情報は、前記照明装置を点灯するために設定される照度閾値を、含む、
請求項４に記載の自転車用の表示装置。
【請求項６】
前記設定情報は、設定可能な前記照度閾値を含む、
請求項５に記載の自転車用の表示装置。
【請求項７】
前記本体部に配置され、前記制御部に命令を指示するための命令指示部、
をさらに備え、
前記制御部は、前記命令指示部からの前記命令に基づいて、前記照度閾値を設定可能である、
請求項５又は６に記載の自転車用の表示装置。
【請求項８】
前記本体部に配置される照度センサ、
をさらに備え、
前記照度閾値は、第１閾値と、第１閾値より小さい第２閾値とを、有し、
前記制御部は、
前記照度センサが検知した照度情報が前記第１閾値以下である場合、第１輝度で前記照明装置を点灯させるための第１点灯信号を、外部に出力し、
前記照度センサが検知した照度情報が前記第２閾値以下である場合、前記第１輝度より大きい第２輝度で前記照明装置を点灯させるための第２点灯信号を、外部に出力する、
請求項４から７のいずれか１項に記載の自転車用の表示装置。
【請求項９】
前記本体部に配置される照度センサと、
前記本体部に配置され、前記制御部に命令を指示するための命令指示部と、
をさらに備え、
前記制御部は、
前記照度センサが検知した照度情報に基づいて、前記照明装置を点灯させるための点灯信号を外部に出力する第１モードと、
前記命令指示部からの前記命令に基づいて、前記点灯信号を外部に出力する第２モードとを、切り換え可能である、
請求項１から８のいずれか１項に記載の自転車用の表示装置。
【請求項１０】
前記制御部が前記第２モードにおいて前記点灯信号を出力した後、前記照度情報が所定の照度閾値より大きくなった場合に、前記制御部は、前記照明装置を消灯させる消灯信号を外部に出力する、
請求項９に記載の自転車用の表示装置。
【請求項１１】
前記本体部に配置される照度センサと、
前記本体部に配置され、前記制御部に命令を指示するための命令指示部と、
をさらに備え、
前記制御部は、前記命令指示部からの前記命令に基づいて、前記照度センサの照度検出を停止させる、
請求項１から１０のいずれか１項に記載の自転車用の表示装置。
【請求項１２】
前記本体部に配置される照度センサと、
前記照度センサを遮蔽可能な遮蔽部、
をさらに備える、
請求項１から１１のいずれか１項に記載の自転車用の表示装置。
【請求項１３】
前期制御部は、前記制御信号を無線で外部に出力可能な無線信号出力部を含む、
請求項１から１２のいずれか１項に記載の自転車用の表示装置。
【請求項１４】
前記本体部に配置され時刻情報を計測可能な計時部、
をさらに備え、
前記制御部は、前記時刻情報に基づいて、前記照明装置を点灯させるための点灯信号を外部に出力する、
請求項１から１３のいずれか１項に記載の自転車用の表示装置。
【請求項１５】
前記制御情報は、前記照明装置を点灯するために設定される時刻閾値を、含み、
前記制御部は、前記時刻情報及び前記時刻閾値の比較によって、前記点灯信号を外部に出力する、
る請求項１４に記載の自転車用の表示装置。
【請求項１６】
前記本体部に配置され、前記制御部に命令を指示するための命令指示部、
をさらに備え、
前記制御部は、
前記時刻情報及び前記時刻閾値の比較によって前記点灯信号を出力する第３モードと、
前記命令指示部からの前記命令に基づいて前記点灯信号を出力する第４モードとを、切り換え可能である、
請求項１５に記載の自転車用の表示装置。
【請求項１７】
前記制御部が前記第４モードにおいて前記点灯信号を出力した後、前記時刻情報が前記時刻閾値に到達した場合に、前記制御部は前記照明装置を消灯するための消灯信号を外部に出力する、
請求項１６に記載の自転車用の表示装置。
【請求項１８】
自転車部品を操作するための自転車用の操作装置であって、
本体部と、
前記本体部に配置される命令指示部と、
前記本体部に配置される照度センサと、
前記本体部に配置され、前記命令指示部からの命令を受け付け可能であり、且つ前記照度センサが検知した照度情報に基づいて、自転車に取り付けられた照明装置を制御するための制御信号を外部に出力する制御部と、
を備える自転車用の操作装置。
【請求項１９】
自転車の駆動部をアシストするための駆動ユニットと、
前記駆動ユニット及び自転車に取り付けられた照明装置に電力を供給可能な電力供給部と、
前記駆動ユニットに接続される請求項１から１７に記載の前記表示装置と、
を備える自転車用の駆動システム。
【請求項２０】
前記表示装置から出力される前記制御信号は、前記駆動ユニットを介して、前記照明装置に伝達される、
請求項１９に記載の自転車用の駆動システム。
【請求項２１】
自転車の駆動部をアシストするための駆動ユニットと、
前記駆動ユニット及び自転車に取り付けられた照明装置に電力を供給可能な電力供給部と、
前記駆動ユニットに接続される請求項１８に記載の前記操作装置と、
を備える自転車用の駆動システム。
【請求項２２】
前記操作装置から出力される前記制御信号は、前記駆動ユニットを介して、前記照明装置に出力される、
請求項２１に記載の自転車用の駆動システム。
【発明の詳細な説明】
【技術分野】
【０００１】
本発明は、自転車用の表示装置、自転車用の操作装置、及び自転車用の駆動システムに関する。
【背景技術】
【０００２】
従来の自転車は、照明装置（１０）を、備えている（特許文献１を参照）。照明装置は、ケース（４０）と、照度センサ（６０）と、ランプ制御部（４５）と、発光体（４１ａ，４１ｂ）を、有している（例えば、図７を参照）。ケースには、照度センサ、ランプ制御部、発光体が、収容される。ランプ制御部は、発光体を制御するための制御情報、例えば照度センサからの照度情報に基づいて、発光体のオンオフを制御する。
【先行技術文献】
【特許文献】
【０００３】
【特許文献１】特許第３７４００９７号公報
【発明の開示】
【発明が解決しようとする課題】
【０００４】
従来の自転車では、照明装置が、照度センサからの照度情報に基づいて、発光体を制御している。しかしながら、発光体の制御は、照明装置において予め設定されているので、この制御形態を変更することが難しい。
【０００５】
本発明は、上記の問題に鑑みてなされたものであって、本発明の目的は、照明装置を容易に制御可能な、自転車用の表示装置、自転車用の操作装置、及び自転車用の駆動システムを、提供することにある。
【課題を解決するための手段】
【０００６】
（１）本発明の一側面に係る自転車用の表示装置は、照明装置を制御可能である。本表示装置は、本体部と、表示部と、制御部とを、備える。表示部は、所定の情報を表示可能であり、本体部に配置される。制御部は、照明装置を制御するための制御情報に基づいて、制御信号を自動的に外部に出力する。
【０００７】
本表示装置は、表示部を有しているので、表示部の情報を確認しながら、制御情報を容易に設定することができる。これにより、照明装置を制御部によって外部から容易に制御することができる。
【０００８】
（２）本発明の別の側面に係る自転車用の表示装置は、本体部に配置される照度センサを、さらに備えることが好ましい。制御情報は、照度センサが検知した照度情報を、含む。制御部は、照度情報に基づいて、照明装置を点灯するための点灯信号を、出力する。
【０００９】
この場合、表示装置が照度センサを備えているので、照明装置が照度センサを備える従来技術と比較して、照度センサが、照明装置の発光時の影響を受けることなく、外部環境の照度を正確に検知することができる。
【００１０】
（３）本発明の別の側面に係る自転車用の表示装置では、制御部が、照度情報を表示部に表示させることが好ましい。
【００１１】
この場合、照度情報が表示部に表示されるので、この照度情報に基づいて、外部環境の照度を容易に把握することができる。
【００１２】
（４）本発明の別の側面に係る自転車用の表示装置は、制御情報を記録するための記録部を、さらに備えることが好ましい。制御情報は、照明装置を制御するための設定情報を、含む。制御部は、設定情報を、表示部に表示させる。
【００１３】
この場合、照明装置の設定情報が表示部に表示されるので、この照明装置の設定情報に基づいて、現在の照明装置の設定状況を容易に把握することができる。
【００１４】
（５）本発明の別の側面に係る自転車用の表示装置では、設定情報が、照明装置を点灯するために設定される照度閾値を、含むことが好ましい。
【００１５】
この場合、設定情報が上記の照度閾値を含んでいるので、照明装置を所定の照度で点灯させることができる。
【００１６】
（６）本発明の別の側面に係る自転車用の表示装置では、設定情報が、設定可能な照度閾値を、含むことが好ましい。
【００１７】
この場合、設定情報に含まれる照度閾値を設定できるので、照明装置の点灯タイミングを容易に所望のタイミングに設定することができる。
【００１８】
（７）本発明の別の側面に係る自転車用の表示装置は、命令指示部をさらに備えることが好ましい。命令指示部は、制御部に命令を指示するためのものであり、本体部に配置される。制御部は、命令指示部からの命令に基づいて、照度閾値を設定可能である。
【００１９】
この場合、命令指示部によって照度閾値を設定できるので、照明装置の点灯タイミングを容易に所望のタイミングに設定することができる。
【００２０】
（８）本発明の別の側面に係る自転車用の表示装置では、照度センサを、さらに備えることが好ましい。照度センサは、本体部に配置される。照度閾値は、第１閾値と、第１閾値より小さい第２閾値とを、有する。制御部は、照度センサが検知した照度情報が第１閾値以下である場合、第１輝度で照明装置を点灯させるための第１点灯信号を、外部に出力する。制御部は、照度センサが検知した照度情報が第２閾値以下である場合、第１輝度より大きい第２輝度で照明装置を点灯させるための第２点灯信号を、外部に出力する。
【００２１】
この場合、照度閾値は、第１閾値と第２閾値とを有するので、照明装置の輝度を段階的に変化させることができる。
【００２２】
（９）本発明の別の側面に係る自転車用の表示装置は、照度センサと、命令指示部とを、さらに備えることが好ましい。照度センサは、本体部に配置される。命令指示部は、制御部に命令を指示するためのものであり、本体部に配置される。制御部は、第１モードと、第２モードとを、切り換え可能である。第１モードでは、制御部は、照度センサが検知した照度情報に基づいて、照明装置を点灯させるための点灯信号を外部に出力する。第２モードでは、制御部は、命令指示部からの命令に基づいて、上記の点灯信号を外部に出力する。
【００２３】
この場合、第１モードでは、制御部が、照度センサが検知した照度情報に基づいて、点灯信号を外部に出力する。第２モードでは、制御部が、命令指示部からの命令に基づいて、点灯信号を外部に出力する。これにより、照度センサ又は命令指示部を用いて、照明装置を自動的又は手動的に点灯させることができる。
【００２４】
（１０）本発明の別の側面に係る自転車用の表示装置では、制御部が第２モードにおいて点灯信号を出力した後、照度情報が所定の照度閾値より大きくなった場合に、制御部は、照明装置を消灯させる消灯信号を外部に出力することが好ましい。
【００２５】
この場合、第２モードでは、照度情報に基づいて照明装置を自動的に消灯することができる。
【００２６】
（１１）本発明の別の側面に係る自転車用の表示装置は、照度センサと、命令指示部とを、備えることが好ましい。照度センサは、本体部に配置される。命令指示部は、制御部に命令を指示するためのものであり、本体部に配置される。制御部は、命令指示部からの命令に基づいて、照度センサの照度検出を停止させる。
【００２７】
この場合、命令指示部によって、照度センサの照度検出を停止することができる。
【００２８】
（１２）本発明の別の側面に係る自転車用の表示装置は、照度センサと、遮蔽部とを、さらに備えることが好ましい。照度センサは、本体部に配置される。遮蔽部は、照度センサを遮蔽可能である。
【００２９】
この場合、遮蔽部が照度センサを遮蔽すると照度が低下するので、照明装置を消灯することができる。
【００３０】
（１３）本発明の別の側面に係る自転車用の表示装置では、制御部は、無線信号出力部を、含むことが好ましい。無線信号出力部は、制御信号を無線で外部に出力可能である。
【００３１】
この場合、制御部が無線信号出力部を含んでいるので、表示装置を自転車に配置する際の自由度を、向上することができる。
【００３２】
（１４）本発明の別の側面に係る自転車用の表示装置は、計時部をさらに備えることが好ましい。計時部は、時刻情報を計測可能であり、本体部に配置される。制御部は、時刻情報に基づいて、照明装置を点灯させるための点灯信号を外部に出力する。
【００３３】
この場合、表示装置が計時部を備えているので、計時部が計測した時刻情報に基づいて、照明装置を点灯させることができる。
【００３４】
（１５）本発明の別の側面に係る自転車用の表示装置では、制御情報が、照明装置を点灯するために設定される時刻閾値を、含むことが好ましい。制御部は、時刻情報及び時刻閾値の比較によって、点灯信号を外部に出力する。
【００３５】
この場合、制御情報が時刻閾値を含んでいるので、照明装置を所定の時刻に点灯させることができる。
【００３６】
（１６）本発明の別の側面に係る自転車用の表示装置は、命令指示部をさらに備えることが好ましい。命令指示部は、制御部に命令を指示するためのものであり、本体部に配置される。制御部は、第３モードと、第４モードとを、切り換え可能である。第３モードでは、制御部は、時刻情報及び時刻閾値の比較によって、点灯信号を出力する。第４モードでは、制御部は、命令指示部からの命令に基づいて、点灯信号を出力する。
【００３７】
この場合、計時部又は命令指示部を用いて、照明装置を自動的又は手動的に点灯させることができる。
【００３８】
（１７）本発明の別の側面に係る自転車用の表示装置では、制御部が第４モードにおいて点灯信号を出力した後、時刻情報が時刻閾値に到達した場合に、制御部は照明装置を消灯するための消灯信号を外部に出力することが好ましい。
【００３９】
この場合、第４モードでは、時刻情報及び時刻閾値を用いて、照明装置を自動的に消灯することができる。
【００４０】
（１８）本発明の別の側面に係る自転車用の操作装置は、自転車部品を操作するためのものである。本操作装置は、本体部と、命令指示部と、照度センサと、制御部とを、備える。命令指示部は、本体部に配置される。照度センサは、本体部に配置される。制御部は、本体部に配置される。制御部は、命令指示部からの命令を受け付け可能である。制御部は、照度センサが検知した照度情報に基づいて、自転車に取り付けられた照明装置を制御するための制御信号を、外部に出力する。
【００４１】
本操作装置は、照度センサを備えているので、照明装置が照度センサを備える従来技術と比較して、照度センサが、照明装置の発光時の影響を受けることなく、外部環境の照度を正確に検知することができる。また、命令指示部によって制御部に各種命令を容易に指示することができる。これにより、照明装置を制御部によって外部から容易に制御することができる。
【００４２】
（１９）本発明の一側面に係る発自転車用の駆動システムは、駆動ユニットと、電力供給部と、表示装置とを、備える。駆動ユニットは、自転車の駆動部をアシストする。電力供給部は、駆動ユニット、及び自転車に取り付けられた照明装置に、電力を供給可能である。表示装置は、上述した表示装置であり、駆動ユニットに接続される。
【００４３】
本駆動システムは、上述した表示装置を有している。このため、上述した表示装置と同様の効果を得ることができる。
【００４４】
（２０）本発明の別の側面に係る自転車用の駆動システムでは、表示装置から出力される制御信号が、駆動ユニットを介して、照明装置に伝達されることが好ましい。
【００４５】
この場合も、上述した表示装置と同様の効果を得ることができる。
【００４６】
（２１）本発明の一側面に係る自転車用の駆動システムは、駆動ユニットと、電力供給部と、操作装置とを、備える。駆動ユニットは、自転車の駆動部をアシストする。電力供給部は、駆動ユニット、及び自転車に取り付けられた照明装置に、電力を供給可能である。操作装置は、請求項１８に記載の操作装置であり、駆動ユニットに接続される。
【００４７】
本駆動システムは、上述した操作装置を有している。このため、上述した操作装置と同様の効果を得ることができる。
【００４８】
（２１）本発明の別の側面に係る自転車用の駆動システムでは、操作装置から出力される制御信号が、駆動ユニットを介して、照明装置に出力されることが好ましい。
【００４９】
この場合も、上述した操作装置と同様の効果を得ることができる。
【発明の効果】
【００５０】
本発明によれば、照明装置を容易に制御可能な、自転車用の表示装置、自転車用の操作装置、及び自転車用の駆動システムを、提供できる。
【図面の簡単な説明】
【００５１】
【図１】本発明の第１実施形態に係る自転車の側面図。
【図２】第１実施形態に係る、ハンドルに装着された変速操作ユニットを示す図。
【図３】第１実施形態に係るサイクルコンピュータを上方から見た図。
【図４】第１実施形態に係る照明制御に関するブロック図。
【図５】第１実施形態に係る照明装置の全体制御のフロー。
【図６】第１実施形態に係る照明装置の設定処理のフロー。
【図７】第１実施形態に係る照明装置の照明制御のフロー。
【図８】本発明の第２実施形態に係る照明制御に関するブロック図。
【図９】第２実施形態に係る照明装置の設定処理のフロー。
【図１０】第２実施形態に係る照明装置の照明制御のフロー。
【図１１】本発明の第３実施形態に係る変速操作ユニットを示す図。
【図１２】第３実施形態に係る照明制御に関するブロック図。
【図１３】第３実施形態に係る照明装置の全体制御のフロー。
【図１４】第３実施形態に係る照明装置の照明制御のフロー。
【図１５】他の実施形態に係るサイクルコンピュータを上方から見た図。
【発明を実施するための形態】
【００５２】
＜第１実施形態＞
〔全体構成〕
本発明の第１実施形態に係る自転車用の表示装置を採用した自転車１０１を図１に示す。自転車１０１は、主として、フレーム１０２と、ハンドル１０４と、駆動部１０５と、アシスト機構１１５（駆動ユニットの一例）と、充電池１１７（電力供給部の一例）と、前輪１０６と、後輪１０７と、変速操作ユニット１９と、照明装置４０と、サイクルコンピュータ５０（表示装置の一例）とを、備えている。フレーム１０２は、フロントフォーク１０２ａと、シートステイ１０２ｂと、チェンステイ１０２ｃとを、含んでいる。
【００５３】
＜駆動部＞
駆動部１０５は、主に、チェーン１１０と、クランク１１２とを、有している。チェーン１１０は、後述するクランク軸１１２ａに固定されるフロントスプロケット（図示しない）と、後述する内装変速ハブ１２０に設けられるリアスプロケット（図示しない）とに、掛け渡されている。
【００５４】
クランク１１２は、クランク軸１１２ａと、１対のクランクアーム１１２ｂとを、備えている。クランク軸１１２ａは、フレーム１０２に回転自在に支持されている。各クランクアーム１１２ｂは、クランク軸１１２ａの端部に各別に設けられている。詳細には、各クランクアーム１１２ｂは、互いに位相が１８０度異なるように、クランク軸１１２ａの端部に一体回転可能に各別に設けられている。クランクアーム１１２ｂの先端部には、ペダル１１１が装着されている。
【００５５】
なお、クランクアーム１１２ｂの位置を検出するために、クランク位置センサ３９（図４を参照）が、クランクアーム１１２ｂ及びフレーム１０２に設けられている。例えば、クランク位置センサ３９は、磁石及びホール素子を、有している。磁石は、クランクアーム１１２ｂに設けられる。ホール素子は、磁石４５に対向するように、フレーム１０２に設けられる。磁石及びホール素子の位置関係によって、クランクアーム１１２ｂの位置が検出される。
【００５６】
＜アシスト機構＞
アシスト機構１１５は、フレーム１０２に設けられている。アシスト機構１１５は、後述するアシスト用モータ１１６（図４参照）を、有している。
【００５７】
アシスト機構１１５は、人の踏力によりクランク１１２のクランク軸１１２ａに作用するトルクに応じて、特定のトルク（例えば、クランク軸１１２ａに作用するトルクの所定倍のトルク）を、アシスト用モータ１１６によって補助的に発生させる。アシスト用モータ１１６のトルクは、パワーアシスト用スプロケット（図示しない）を介して、チェーン１１０に直接または間接的に伝えられる。例えば、パワーアシスト用スプロケットは、クランク軸１１２ａに結合されていてもよく、フロントスプロケットに結合されていてもよい。
【００５８】
このように、駆動部１０５は、クランク軸１１２ａに伝達された人の踏力、及び、走行補助用電動機であるアシスト用モータ１１６の出力を、チェーン１１０を介して内装変速ハブ１２０のリアスプロケットに伝達する。
【００５９】
＜充電池＞
充電池１１７は、変速操作ユニット１９、アシスト機構１１５、及び照明装置４０の電源として、用いられる。充電池１１７は、フレーム１０２に着脱可能に設けられる。充電池１１７は、例えば、ニッケル水素電池及びリチウムイオン電池等を用いた蓄電池である。
【００６０】
＜前輪・後輪＞
前輪１０６は、フロントフォーク１０２ａに回転自在に装着される。後輪１０７は、シートステイ１０２ｂ及びチェンステイ１０２ｃが交わるドロップエンドに、回転自在に装着される。前輪１０６には、前輪１０６の回転により発電するハブダイナモ１０９が装着されている（図４を参照）。ハブダイナモ１０９は蓄電池１１７と電気的に接続されており、自転車１０１の走行時に発電して充電池１１７に蓄電することが可能である。なお、ハブダイナモ１１７は省略することが可能である。
【００６１】
後輪１０７には、内装変速ハブ１２０が、組み込まれている。内装変速ハブ１２０は、後輪１０７の中心に配置される、内装変速ハブ１２０は、例えば８段変速のハブである。内装変速ハブ１２０には、例えば、ローラブレーキ、バンドブレーキ、ディスクブレーキ等のリアブレーキ装置が、連結されている。
【００６２】
内装変速ハブ１２０には、変速用モータ１２３（図４を参照）が、連結されている。変速用モータ１２３は、内装変速ハブ１２０の変速機構（図示しない）を電動駆動する。内装変速ハブ１２０及び変速用モータ１２３によって、内装変速機１１８が構成される。
【００６３】
＜変速操作ユニット＞
図２に示すように、変速操作ユニット１９は、ハンドル１０４に装着されている。詳細には、変速操作ユニット１９は、グリップ１０４ａ近傍においてハンドル１０４に装着されている。
【００６４】
変速操作ユニット１９は、アシスト機構１１５に接続されている（図４を参照）。また、変速操作ユニット１９は、アシスト機構１１５を介して、充電池１１７に接続されている。また、変速操作ユニット１９は、アシスト機構１１５を介して、内装変速機１１８に接続されている。変速操作ユニット１９が操作されると、変速用モータ１２３によって内装変速ハブ１２０が動作する。
【００６５】
図２に示すように、変速操作ユニット１９は、第１命令指示部２０を有している。第１命令指示部２０は、第１変速操作ボタン２１、第２変速操作ボタン２２、及び操作ダイヤル２３を、含んでいる。第１変速操作ボタン２１、第２変速操作ボタン２２、及び操作ダイヤル２３は、ハンドル１０４のグリップ１０４ａを握りながら、手で操作可能な位置に配置されている。
【００６６】
第１変速操作ボタン２１は、低速段から高速段への変速を行うためのボタンである。第２変速操作ボタン２２は、高速段から低速段への変速を行うためのボタンである。
【００６７】
操作ダイヤル２３は、変速に関するモードを切り換えるためのダイヤルである。操作ダイヤル２３は、２つの変速モードと、パーキングモード（Ｐ）とを、有している。２つの変速モードは、自動変速モード（Ａ）と、手動変速モード（Ｍ）とを、含んでいる。
【００６８】
図２の（Ｐ）位置にセットされると、パーキングモードが選択される。図２の（Ａ）位置にセットされると、自動変速モードが選択される。図２の（Ｍ）位置にセットされると、手動変速モードが選択される。
【００６９】
自動変速モードは、車速センサ（図示しない）からの車速信号に基づいて内装変速ハブ１２０を自動変速するモードである。車速センサは、磁石及びホール素子を、有している。磁石は、フロントフォーク１０２ａに設けられる。ホール素子は、磁石４５に対向するように、前輪１０６に設けられる。磁石及びホール素子の位置関係によって、車速が検出される。
【００７０】
手動変速モードは、第１及び第２変速操作ボタン２１，２２の操作により所望の変速段に内装変速ハブ１２０を変速するモードである。パーキングモードは、内装変速ハブ１２０をロックして後輪１０７の回転を規制するモードである。
【００７１】
＜照明装置＞
図１に示すように、照明装置４０は、フロントフォーク１０２ａに装着されている。照明装置４０は、アシスト機構１１５に接続されている（図４を参照）。照明装置４０は、アシスト機構１１５を介して、充電池１１７に接続されている。照明装置４０は、充電池１１７から電力が供給され、発光可能である。照明装置４０は、アシスト機構１１５を介して、以下に示すサイクルコンピュータ５０によって、制御可能である。
【００７２】
照明装置４０は、ハウジング４１と、発光体４２とを、有している。ハウジング４１は、ブラケットを介して、フロントフォーク１０２ａに装着される。発光体４２は、充電池１１７からの電力によって点灯する。発光体４２は、ハウジング４１に配置される。発光体４２は、例えば、発光ダイオードやキセノンバルブからなる電球である。
【００７３】
照明装置４０は、後述する照度情報及び設定情報に基づいて、制御部５５によって制御される。照明装置４０の制御の詳細については、後述する。
【００７４】
＜サイクルコンピュータ＞
図１に示すように、サイクルコンピュータ５０は、ハンドル１０４に着脱自在に装着される。サイクルコンピュータ５０は、アシスト機構１１５に接続されている（図４を参照）。サイクルコンピュータ５０は、アシスト機構１１５を介して、充電池１１７に接続されている。
【００７５】
サイクルコンピュータ５０は、充電池１１７から電力が供給され、この電力によって動作する。サイクルコンピュータ５０は、アシスト機構１１５を介して、照明装置４０を制御可能である。
【００７６】
なお、ここでは、サイクルコンピュータ５０が、充電池１１７からの電力によって動作する場合の例を示したが、サイクルコンピュータ５０の電池によってサイクルコンピュータ５０が動作するようにしてもよい。
【００７７】
また、ここでは、サイクルコンピュータ５０が、アシスト機構１１５を介して、照明装置４０を制御する例を示すが、サイクルコンピュータ５０が、直接的に照明装置４０に接続され、照明装置４０を制御するように構成してもよい。
【００７８】
サイクルコンピュータ５０は、各種情報（所定の情報の一例）を表示可能である。各種情報には、変速モードの報知情報、アシスト用モータ１１６の出力情報、充電池１１７の状態情報、及び照明装置４０の制御に関する制御情報等が、含まれる。なお、本実施形態では、「情報」という文言は、「データ」という意味で用いられることがある。
【００７９】
図３に示すように、サイクルコンピュータ５０は、本体部５１と、照度センサ５２と、第２命令指示部５３（命令指示部の一例）と、表示部５４と、制御部５５（図４を参照）と、記録部５６（図４を参照）とを、備える。
【００８０】
（本体部）
本体部５１は、ハンドル１０４に着脱自在に装着される。例えば、本体部５１は、ブラケットを介して、ハンドル１０４に着脱自在に装着される。
【００８１】
（照度センサ）
照度センサ５２は、外部環境の照度を検知する。図３に示すように、照度センサ５２は、本体部５１に配置される。照度センサ５２は、制御部５５及び記録部５６に接続されている。照度センサ５２が検知した照度は、照度情報として、記録部５６に記録される。照度情報の記録は、所定の時間間隔例えば１／６０（ｓｅｃ）ごとに、実行される。
【００８２】
（第２命令指示部）
図３に示すように、第２命令指示部５３は、本体部５１に配置される。第２命令指示部５３は、制御部５５に命令を指示可能である。第２命令指示部５３は、例えば、各種情報の表示を切り換える切換ボタン、及び各種情報の設定に用いられる設定ボタンとして機能する。
【００８３】
詳細には、第２命令指示部５３が切換ボタンとして機能する場合、第２命令指示部５３を操作することによって、所望の情報が、表示部５４に表示される。また、第２命令指示部５３が設定ボタンとして機能する場合、第２命令指示部５３の操作によって、各種情報が設定される。例えば、第２命令指示部５３の操作によって、照明装置４０を制御するための設定情報が、設定される。設定情報、及び上述した照度センサ５２の照度情報は、制御情報を構成する。
【００８４】
設定情報は、照明モードの識別情報、照度の上限値及び下限値、及び照度閾値を、含んでいる。
【００８５】
照明モードは、センサ制御モード（第１モードの一例）と、スイッチ制御モード（第２モードの一例）とを、含んでいる。照明モードの識別情報は、センサ制御モード及びスイッチ制御モードを識別するための識別情報である。第２命令指示部５３の操作によってセンサ制御モード又はスイッチ制御モードが選択されると、選択されたモードに対応する識別情報が、設定される。初期設定では、センサ制御モードの識別情報が、デフォルト値として設定されている。
【００８６】
照度の上限値及び下限値は、所定の値に設定される。照度の上限値及び下限値は、照度センサ５２が検出することができる照度の上限値及び下限値である。詳細には、照度の上限値及び下限値は、照度センサ５２のタイプに応じて、所定の値に設定される。
【００８７】
照度閾値は、照度センサ５２が検出した照度情報に応じて、照明装置４０を自動的に点灯制御するために設定される。照度閾値は、第１閾値と、第１閾値より小さい第２閾値とを、有する。初期設定では、第１閾値及び第２閾値は、所定のデフォルト値に、設定されている。
【００８８】
第１閾値は、照明装置４０を、第１輝度で発光させるために用いられる値である。第２閾値は、照明装置４０を、第２輝度で発光させるために用いられる値である。第２輝度は、第１輝度より大きい。具体的には、照度情報の照度が低い場合（照度情報＜第２閾値）の方が、照度情報の照度が高い場合（第２閾値＜照度情報＜第１閾値）よりも、照明装置４０の輝度が高くなるように、第１輝度及び第２輝度が設定されている。
【００８９】
ここで、設定情報は、第２命令指示部５３によって、変更可能である。図３に示すように、第２命令指示部５３は、第１表示ボタン５３ａ及び第２表示ボタン５３ｂを、有している。例えば、第１表示ボタン５３ａ及び／又は第２表示ボタン５３ｂが長押しされると、図示しない情報設定画面が、表示部５４に表示される。この状態において、第１表示ボタン５３ａ及び／又は第２表示ボタン５３ｂが操作されると、設定情報は、デフォルト値から任意の値へと変更される。なお、変更後の設定情報は、同様に、さらに変更可能である。
【００９０】
より具体的には、情報設定画面に第１閾値が表示された状態において、第１表示ボタン５３ａ及び／又は第２表示ボタン５３ｂが押されると、第１閾値が上限値及び下限値の間の範囲で任意の値に変更される。同様に、情報設定画面に第２閾値が表示された状態で、第１表示ボタン５３ａ及び／又は第２表示ボタン５３ｂが押されると、情報設定画面に第２閾値が上限値及び下限値の間の範囲で任意の値に変更される。変更後の第１閾値及び／又は第２閾値は、記録部５６のＲＡＭ（後述する）に、記録される。
【００９１】
なお、ここでは、照度閾値が、第１閾値及び第２閾値によって２段階の輝度に設定される場合の例を示したが、照度閾値として、第１閾値及び第２閾値のいずれか一方だけを用いてもよいし、３段階以上の照度閾値を設定するように構成してもよい。
【００９２】
（表示部）
図３に示すように、表示部５４は、本体部５１に配置される。例えば、表示部５４は、セグメント方式の液晶表示部５４である。
【００９３】
表示部５４は、上述した各種情報を表示可能である。表示部５４は、変速モードの報知情報、例えば自動変速モードを報知する情報又は手動変速モードを報知する情報を、表示可能である。また、表示部５４は、アシスト用モータ１１６の出力情報、例えばアシストの強弱を示す情報を、表示可能である。また、表示部５４は、充電池１１７の状態情報、例えば充電の残量を示す情報を、表示可能である。
【００９４】
表示部５４は、制御情報に含まれる照度情報を、さらに表示可能である。表示部５４は、照度情報の照度、例えば所定の時間間隔で平均化された照度を、表示可能である。ここでは、表示部５４に表示される照度が、時間平均された照度である場合の例を示すが、表示部５４に表示される照度は、リアルタイムの照度であってもよい。
【００９５】
表示部５４は、設定情報、例えば照明モードの状態及び照度閾値を、さらに表示可能である。照明モードの状態を表示する場合、センサ制御モードを報知するための情報、又はスイッチ制御モードを報知するための情報が、表示部５４に表示される。センサ制御モードを報知するための情報としては、例えば＜ＳＹ＞という記号が、表示部５４に表示される。また、スイッチ制御モードを報知するための情報としては、例えば＜ＢＹ＞という記号が、表示部５４に表示される。
【００９６】
また、照度閾値を表示する場合、照度の上限値及び下限値、現在の照度閾値、及び設定中の照度閾値の少なくとも１つが、表示部５４に表示される。例えば、現在の照度閾値は、上述したデフォルト値、又は上述した第２命令指示部５３によって設定された第１閾値及び第２閾値である。設定中の照度閾値は、上限値及び下限値の間の範囲で設定可能な第１閾値及び第２閾値である。
【００９７】
具体的には、設定中の照度閾値は、「（Min）・・＞・・・＜・・（Max）」のように、バー表示される。ここで、（Min）が下限値を示す記号であり、（Max）が上限値を示す記号である。「＞」は第２閾値を示す記号であり、「＜」は第１閾値を示す記号である。この場合、上述したように、第２命令指示部５３（第１表示ボタン５３ａ及び／又は第２表示ボタン５３ｂ）が操作されると、「＞」及び／又は「＜」が左右に移動し、第１閾値及び／又は第２閾値が、設定される。また、現在の（最新の）照度情報を、照度閾値として、設定中に表示部５４に表示させてもよい。これにより、現在の照度情報を基準として照度閾値を設定することが可能となる。
【００９８】
なお、照度の上限値及び下限値、現在の照度閾値、及び設定後の照度閾値は、記録部５６に記録される。
【００９９】
（制御部）
制御部５５は、本体部５１に配置される。例えば、制御部５５は、本体部５１に内蔵されている。制御部５５は、ＣＰＵ（Central processing unit）を含むマイクロコンピュータから、構成されている。
【０１００】
制御部５５は、主に、表示部５４の表示制御と、照明装置４０の照明制御とを、実行する。図４に示すように、制御部５５は、情報表示部６１と、情報設定部６２と、モード切換部６３と、照明制御部６４と、センサ制御部６５とを、有している。
【０１０１】
情報表示部６１は、各種情報を表示するための表示信号を、表示部５４に出力する。また、情報表示部６１は、第２命令指示部５３が表示命令を出力した場合、この表示命令に対応する表示信号を、表示部５４に出力する。
【０１０２】
例えば、情報表示部６１が、照度情報に対応する表示信号を、表示部５４に出力することによって、照度情報が表示部５４に表示される。また、情報表示部６１が、設定情報に対応する表示信号を、表示部５４に出力することによって、設定情報が表示部５４に表示される。これにより、照度情報及び／又は設定情報が表示部５４に出力される。なお、ここで省略した各種情報も、同様の形態で表示される。
【０１０３】
情報設定部６２は、第２命令指示部５３からの命令に基づいて、各種情報を設定する。例えば、情報設定部６２は、図示しない情報設定画面において、第２命令指示部５３を操作することによって、各種情報を任意の値に設定可能である。
【０１０４】
例えば、情報設定部６２は、第２命令指示部５３からの命令に基づいて、照度閾値を設定可能である。上述したように第２命令指示部５３の操作によって照度閾値（第１閾値・第２閾値）が設定されると、情報設定部６２は、この照度閾値を認識し記録部５６に記録する。このようにして、情報設定部６２は、照度閾値を設定する。
【０１０５】
なお、照明閾値の設定時には、第１閾値が常に第２閾値より大きくなるように、第１閾値及び第２閾値の差の絶対値の最小値が、所定の値に設定されている。この監視は、照明制御部６４が実行している。
【０１０６】
モード切換部６３は、センサ制御モードとスイッチ制御モードとを切り換える。詳細には、モード切換部６３は、設定情報すなわち照明モードの識別情報に基づいて、センサ制御モードとスイッチ制御モードとを、切り換える。
【０１０７】
例えば、初期設定では、センサ制御モードの識別情報が、デフォルト値として、設定されている。この状態において、上述したように第２命令指示部５３の操作によってセンサ制御モード又はスイッチ制御モードが選択されると、モード切換部６３は、ここで選択された照明モードの識別情報を認識し、この識別情報を記録部５６に記録する。この識別情報によって、モード切換部６３は、現状の照明モードがセンサ制御モードであるかスイッチ制御モードであるかを、判断する。
【０１０８】
照明制御部６４は、照度情報及び設定情報に基づいて、照明装置４０を制御するための制御信号を、自動的に外部に出力する。詳細には、照明制御部６４は、照明モードと、照度情報及び設定情報とに基づいて、駆動ユニットを介して、制御信号を照明装置４０に自動的に出力する。
【０１０９】
以下では、「駆動ユニットを介して」という文言を省略して、「制御信号が照明制御部６４から照明装置４０に出力される」と記載される場合がある。なお、制御信号は、駆動ユニットを介して、照明制御部６４から照明装置４０に出力される場合の例を示すが、制御信号は、照明制御部６４から照明装置４０に直接的に出力されてもよい。
【０１１０】
例えば、照明制御部６４は、照明モードの識別情報を、判断する。ここで、照明モードの識別情報が、センサ制御モードの識別情報である場合は、照明制御部６４は、照度情報及び設定情報に基づいて、照明装置４０を点灯させるための点灯信号、又は照明装置４０を消灯させるための消灯信号を、照明装置４０に出力する。
【０１１１】
より具体的には、照明制御部６４は、記録部５６に記録された照度情報及び照明閾値（第１閾値及び／又は第２閾値）を、認識する。ここで、照度情報が、第２閾値より大きく且つ第１閾値以下である場合、照明制御部６４は、第１輝度で照明装置４０を点灯させるための第１点灯信号を、照明装置４０に出力する。これに対して、照度情報が第２閾値以下である場合、照明制御部６４は、第２輝度（＞第１輝度）で照明装置４０を点灯させるための第２点灯信号を、照明装置４０に出力する。なお、照明制御部６４は、照度情報が第１閾値より大きい場合、照明制御部６４は消灯信号を照明装置４０に出力する。
【０１１２】
なお、照度情報が第１閾値より大きい場合、照明制御部６４は第１輝度よりも低い第３輝度で照明装置４０を点灯させるための第３点灯信号を、照明装置４０にさらに出力するように構成してもよい。つまり、センサ制御モードにおいて、常時照明装置４０が点灯するようにしてもよい。
【０１１３】
また、センサ制御モードにおいて、照明制御部６４が、第２命令指示部５３からの点灯命令又は消灯命令を認識した際には、照明装置４０に点灯信号又は消灯信号を出力するようにしてよい。つまり、センサ制御モードにおいて、照明制御部６４が、第２命令指示部５３からの命令を優先するようにしてもよい。
【０１１４】
一方で、照明モードの識別情報が、スイッチ制御モードの識別情報である場合は、照明制御部６４は、第２命令指示部５３からの点灯命令又は消灯命令に基づいて、照明装置４０に点灯信号又は消灯信号を出力する。
【０１１５】
例えば、スイッチ制御モードでは、照明制御部６４は、第２命令指示部５３からの点灯命令を認識した際には、センサ制御モードと同様の判断処理を行う。また、照明制御部６４が第２命令指示部５３からの点灯命令を認識した後に、照度情報が所定の照度閾値（例えば第１閾値）より大きくなった場合、照明制御部６４は、消灯信号を照明装置４０に出力する。これにより、スイッチ制御モードにおいて照明装置４０の消し忘れを防止できる。
【０１１６】
なお、スイッチ制御モードでは、照度センサ５２による制御を自動的に停止させてもよい。つまり、スイッチ制御モードにおいて、照度センサ５２による制御を自動的に停止させ、第２命令指示部５３のみにより照明装置４０を点消灯制御するようにしてもよい。
【０１１７】
センサ制御部６５は、照度センサ５２を制御する。詳細には、センサ制御部６５は、照度センサ５２の起動及び停止を制御する。
【０１１８】
センサ制御部６５は、第２命令指示部５３からのセンサ停止命令に基づいて、照度センサ５２の照度検出を停止させる。詳細には、センサ制御部６５が、第２命令指示部５３からのセンサ停止命令を認識すると、センサ停止信号を照度センサ５２に出力する。これにより、照度センサ５２が停止する。
【０１１９】
このように照度センサ５２を停止させることで、照度センサ５２の動作時の電力消費を低減することができる。なお、照度センサ５２の停止状態における照明装置４０の制御として、照明モードをスイッチ制御モードに移行してもよいし、常に所定の輝度で照明装置４０を点灯させるように制御してもよい。
【０１２０】
また、センサ制御部６５は、第２命令指示部５３からのセンサ起動命令に基づいて、照度センサ５２を起動する。詳細には、センサ制御部６５が、第２命令指示部５３からのセンサ起動命令を認識すると、センサ起動信号を照度センサ５２に出力する。これにより、照度センサ５２が起動する。なお、センサ制御部６５が照度センサ５２が停止しない限り、照度センサ５２は常に動作している。
【０１２１】
（記録部）
記録部５６は、各種情報を記録可能である。各種情報には、制御部５５がアクセス可能である。制御部５５は、各種情報を参照しながら、表示部５４の表示制御と、照明装置４０の点消灯制御とを、実行する。
【０１２２】
記録部５６は、例えば、ＲＯＭ(read only memory)及びＲＡＭ(random access memory)から、構成されている。ＲＯＭは、データを読み出し可能である。ＲＯＭには、制御に必要なプログラム及びデータ等が、記録される。上述したデフォルト値は、ＲＯＭに記録される。ＲＡＭは、データを一時的に保存し、データを読み書き可能である。制御部５５が処理中の情報、例えば設定情報及び照度情報は、ＲＡＭに記録される。
【０１２３】
＜サイクルコンピュータによる照明装置の制御＞
（全体制御）
上記の構成を有する自転車１０１において、サイクルコンピュータ５０によって照明装置４０が制御される場合の例を、図５，図６，及び図７のフローを参照して説明する。これらフローは、変速モードが自動変速モードであっても手動変速モードであっても、成立する。
【０１２４】
まず、図５に示すように、サイクルコンピュータ５０が起動すると、制御部５５は、初期設定を実行する（Ｓ１）。例えば、初期設定では、制御部５５は、記録部５６に記録された各種情報のデフォルト値（制御情報のデフォルト値を含む）を、認識する。
【０１２５】
次に、制御部５５は、制御情報の設定、例えば設定情報の設定を、実行する（Ｓ２）。そして、制御部５５が設定情報の設定制御を実行すると、制御部５５は照明装置４０の制御を実行する。なお、設定情報の設定、及び照明装置４０の制御については、後述する。
【０１２６】
続いて、制御部５５がサイクルコンピュータ５０の装置停止命令を受けたか否かを、判断する（Ｓ４）。ここで、制御部５５がサイクルコンピュータ５０の装置停止命令を受けた場合（Ｓ４でＹｅｓ）、制御部５５は、設定情報の設定及び照明装置４０の制御を終了する。サイクルコンピュータ５０の装置停止命令は、例えば、第２命令指示部５３、及び／又はアシスト機構１１５の制御部（図示しない）等によって、サイクルコンピュータ５０の制御部５５に指示される。一方で、制御部５５がサイクルコンピュータ５０の装置停止命令を未認識である場合（Ｓ４でＮｏ）、制御部５５は、ステップ２及びステップ３の処理を、継続する。
【０１２７】
（制御情報の設定）
以下では、図６を参照して、制御情報の設定のフローについて、説明する。このフローは、図５のステップ２（Ｓ２）の処理を詳細に説明したものである。
【０１２８】
ここでは、制御部５５は、第２命令指示部５３からの命令を認識し、制御情報の設定例えば設定情報の設定を行う。設定情報の設定には、例えば、照明モードの設定及び照度閾値の設定が、含まれる。
【０１２９】
まず、照明モードが、上述したように、第２命令指示部５３からの命令に基づいて、センサ制御モード又はスイッチ制御モードに、設定される（Ｓ１１）。すると、モード切換部６３は、照明モード（センサ制御モード又はスイッチ制御モード）に対応する識別情報を、記録部５６に記録する。この識別情報によって、照明制御部６４は、現状の照明モードが、センサ制御モードであるか、スイッチ制御モードであるかを、認識する。
【０１３０】
照明制御部６４が識別情報を記録部５６に記録すると、情報表示部６１が、第２命令指示部５３によって設定された照明モードの状態を、表示部５４に表示する（Ｓ１２）。これにより、ユーザは、現状の照明モードを容易に把握することができる。
【０１３１】
次に、情報設定部６２が、上述したように、第２命令指示部５３からの命令に基づいて、照度閾値（第１閾値・第２閾値）を設定する（Ｓ１３）。具体的には、情報設定部６２が、第２命令指示部５３によって設定された照度閾値（第１閾値・第２閾値）を、記録部５６に記録する。すると、設定中の照度閾値が、表示部５４に表示される（Ｓ１４）。これにより、ユーザは、照度閾値を視認しながら容易に設定することができる。
【０１３２】
なお、ここでは、照明モードの設定、照度閾値の設定の順に説明したが、照度閾値の設定及び照明モードの設定は、どのような順番で設定してもよい。また、照明モードの設定及び照度閾値の設定は、後述する照明装置４０の制御中においても、実行可能である。
【０１３３】
（照明装置の制御）
以下では、図７を参照して、照明装置の制御のフローについて、説明する。このフローは、図５のステップ３（Ｓ３）の処理を詳細に説明したものである。
【０１３４】
まず、センサ制御部６５が、第２命令指示部５３からの起動命令を認識すると、照度センサ５２を起動する（Ｓ２１）。すると、照度センサ５２が、外部環境の照度の検出を開始する。ここで、照度センサ５２が外部環境の照度を検出すると、この照度が照度情報として記録部５６に記録される（Ｓ２２）。
【０１３５】
次に、照明制御部６４は、照明モードの識別情報に基づいて、照明モードを判断する（Ｓ２３）。例えば、照明制御部６４は、照明モードの識別情報に基づいて、照明モードがセンサ制御モードであるか否かを、判断する。
【０１３６】
ここで、照明モードの識別情報が、センサ制御モードの識別情報である場合（Ｓ２３でＹｅｓ）、照明制御部６４は、照度情報及び照明閾値（第１閾値及び／又は第２閾値）を比較し、照明装置４０に点消灯信号を出力する。この場合、照明制御部６４は、照度情報が第１閾値より大きいか否かを、判断する（Ｓ２４）。
【０１３７】
ここで、照度情報が第１閾値より大きい場合（Ｓ２４でＹｅｓ）、照明制御部６４は照明装置４０に消灯信号を出力する（Ｓ２５）。このように、照度情報が第１閾値より大きい場合、すなわち外部環境が明るい場合、照明装置４０は消灯する。なお、照明装置４０が消灯中であっても、照明制御部６４は照度情報を常に監視している（Ｓ２２）。
【０１３８】
照度情報が第１閾値以下である場合（Ｓ２４でＮｏ）、照明制御部６４は、照度情報が第２閾値より大きいか否かを、判断する（Ｓ２６）。ここで、照度情報が第２閾値より大きい場合（Ｓ２６でＹｅｓ）、すなわち照度情報が第２閾値より大きく且つ第１閾値以下である場合、照明制御部６４は、第１点灯信号を照明装置４０に出力する。すると、照明装置４０の発光体４２が、第１輝度で発光する（Ｓ２７）。このように、照度情報が第２閾値より大きく且つ第１閾値以下である場合、すなわち外部環境が暗くなってきた場合、照明装置４０は低輝度で発光する。
【０１３９】
また、照度情報が第２閾値以下である場合（Ｓ２６でＮｏ）、照明制御部６４は、第２点灯信号を、照明装置４０に出力する。すると、照明装置４０の発光体４２が、第２輝度（＞第１輝度）で発光する（Ｓ２８）。このように、照度情報が第２閾値以下である場合、すなわち外部環境が更に暗くなってきた場合、照明装置４０は、高輝度で発光する。
【０１４０】
一方で、照明モードの識別情報が、スイッチ制御モードの識別情報である場合（Ｓ２３でＮｏ）、照明制御部６４は、第２命令指示部５３から点灯命令又は消灯命令が出力されたか否かを判断する（Ｓ２９）。ここで、照明制御部６４が、第２命令指示部５３からの点灯命令を認識した場合（Ｓ２９でＹｅｓ）、照明装置４０に点灯信号を出力する。すると、照明装置４０の発光体４２が、所定の輝度例えば第１輝度で、発光する（Ｓ３０）。なお、ここでは、発光体４２が、第１輝度で発光する場合の例を示したが、第２輝度で発光するようにしてもよい。
【０１４１】
続いて、照明装置４０が発光した後、所定の時間が経過した場合、照明制御部６４は、消灯信号を照明装置４０に自動的に出力する。すると、照明装置４０の発光体４２が発光を停止する。これにより、照明装置４０は消灯する（Ｓ３１）。なお、照明制御部６４は、第２命令指示部５３からの消灯命令を認識した場合（Ｓ２９でＮｏ）、照明装置４０に消灯信号を出力する。この場合も、照明装置４０は消灯する（Ｓ３１）。
【０１４２】
最後に、センサ制御部６５が、第２命令指示部５３からのセンサ停止命令を受けたか否かを判断する（Ｓ３２）。ここで、センサ制御部６５が、第２命令指示部５３からのセンサ停止命令を認識した場合（Ｓ３２でＹｅｓ）、照度センサ５２の作動を停止する（Ｓ３３）。すると、照度センサ５２が、外部環境の照度の検出を停止する。なお、センサ制御部６５が、第２命令指示部５３からのセンサ停止命令を認識しない限り（Ｓ３２でＮｏ）、ステップ２２（Ｓ２２）からステップ３２（Ｓ３２）までの処理が、繰り返し実行される。
【０１４３】
＜第２実施形態＞
本発明の第２実施形態に係る自転車用の表示装置を採用した自転車１０１は、第１実施形態のサイクルコンピュータ５０の構成を除いて、第１実施形態の自転車１０１の構成と、実質的に同じである。このため、ここでは、第１実施形態と同じ構成については説明を省略し、サイクルコンピュータ１５０の説明のみを行う。サイクルコンピュータ１５０の説明についても、第１実施形態と同じ構成については、説明を省略する場合がある。なお、ここで省略された説明については、第１実施形態の説明に準ずる。
【０１４４】
＜サイクルコンピュータ＞
サイクルコンピュータ１５０は、各種情報（所定の情報の一例）を表示可能である。各種情報には、変速モードの報知情報、アシスト用モータ１１６の出力情報、充電池１１７の状態情報、及び照明装置４０の制御に関する制御情報等が、含まれる。なお、本実施形態では、「情報」という文言は、「データ」という意味で用いられることがある。
【０１４５】
図８に示すように、サイクルコンピュータ１５０は、本体部５１（図３を参照）と、計時部１５２と、第２命令指示部５３と、表示部５４と、制御部１５５と、記録部５６とを、備える。すなわち、第２実施形態では、サイクルコンピュータ１５０は、照度センサ５２を有していない。なお、図８では、第１実施形態と同様の構成については、同じ符号を付している。
【０１４６】
本体部５１は、ハンドル１０４に着脱自在に装着される。例えば、本体部５１は、ブラケットを介して、ハンドル１０４に着脱自在に装着される。
【０１４７】
計時部１５２は、時刻を計測可能である。計時部１５２は、本体部５１に配置される。計時部１５２は、制御部１５５及び記録部５６に接続されている。計時部１５２が計測した時刻は、時刻情報として、記録部５６に記録される。時刻情報の記録は、所定の時間間隔例えば１／６０（ｓｅｃ）ごとに、実行される。
【０１４８】
照明装置４０は、時刻情報、及び照明装置４０を制御するための設定情報に基づいて、制御部１５５によって制御される。時刻情報及び設定情報は、制御情報を構成する。照明装置４０の制御の詳細については、後述する。
【０１４９】
第２命令指示部５３は、制御部１５５に命令を指示可能である。第２命令指示部５３は、本体部５１に配置される。第２命令指示部５３は、例えば、各種情報の表示を切り換える切換ボタン、及び各種情報の設定に用いられる設定ボタンとして機能する。例えば、第２命令指示部５３の操作によって、制御情報に含まれる設定情報が、設定される。
【０１５０】
設定情報は、照明モードの識別情報、及び時刻閾値を、含んでいる。照明モードは、テーブル制御モード（第３モードの一例）と、スイッチ制御モード（第４モードの一例）とを、含んでいる。照明モードの識別情報は、テーブル制御モード及びスイッチ制御モードを識別するための識別情報である。第２命令指示部５３の操作によってテーブル制御モード又はスイッチ制御モードが選択されると、選択されたモードに対応する識別情報が、設定される。初期設定では、テーブル制御モードの識別情報が、デフォルト値として設定されている。識別情報は、記録部５６に記録される。
【０１５１】
時刻閾値は、照明装置４０を点消灯するために設定される時刻テーブルに、含まれている。時刻テーブルは、１年の日時と、点灯時刻及び消灯時刻とから、構成されている。点灯時刻は、照明装置４０を点灯させる時刻である。消灯時刻は、照明装置４０を消灯させる時刻である。点灯時刻及び消灯時刻は、日ごとに各別に設定される。ここでは、点灯時刻及び消灯時刻が、時刻閾値に対応する。なお、初期状態では、点灯時刻及び消灯時刻は、所定のデフォルト値に設定されている。時刻テーブルは、記録部５６例えばＲＯＭに、記録されている。
【０１５２】
ここで、点灯時刻及び消灯時刻は、第２命令指示部５３によって変更可能である。例えば、第２命令指示部５３が操作されると、点灯時刻及び消灯時刻は、デフォルト値から任意の値へと変更される。なお、変更後の点灯時刻及び消灯時刻は、同様に、さらに変更可能である。
【０１５３】
より具体的には、第１表示ボタン５３ａ及び／又は第２表示ボタン５３ｂが長押しされると、情報設定画面が表示部５４に表示される。この状態において、第１表示ボタン５３ａ及び／又は第２表示ボタン５３ｂが操作されると、点灯時刻又は消灯時刻が変更される。同様に、本日以外の点灯時刻及び消灯時刻も、表示部５４に表示可能であり、第２命令指示部５３によって変更可能である。変更後の点灯時刻又は消灯時刻を含む時刻テーブルは、記録部５６例えばＲＡＭに記録される。
【０１５４】
表示部５４は、上述した各種情報を表示可能である。表示部５４は、制御情報に含まれる時刻情報を、表示可能である。表示部５４は、時刻情報例えば現在の時刻を、表示する。
【０１５５】
表示部５４は、設定情報、例えば照明モードの状態及び時刻閾値を、さらに表示可能である。例えば、照明モードの状態を表示する場合、テーブル制御モードを報知するための情報、又はスイッチ制御モードを報知するための情報が、表示部５４に表示される。テーブル制御モードを報知するための情報としては、例えば＜ＴＹ＞という記号が、表示部５４に表示される。また、スイッチ制御モードを報知するための情報としては、例えば＜ＢＹ＞という記号が、表示部５４に表示される。
【０１５６】
また、時刻閾値を表示する場合、時刻テーブルの情報、例えば本日の点灯時刻及び消灯時刻が、表示部５４に表示される。この状態で、上述したように、第１表示ボタン５３ａ及び／又は第２表示ボタン５３ｂが押されると、点灯時刻及び／又は消灯時刻が変更される。
【０１５７】
（制御部）
制御部１５５は、主に、表示部５４の表示制御と、照明装置４０の照明制御とを、実行する。図８に示すように、制御部１５５は、情報表示部６１と、情報設定部６２と、モード切換部６３と、照明制御部６４とを、有している。
【０１５８】
情報表示部６１は、各種情報を表示するための表示信号を、表示部５４に出力する。また、情報表示部６１は、第２命令指示部５３が表示命令を出力した場合、この表示命令に対応する表示信号を、表示部５４に出力する。
【０１５９】
例えば、情報表示部６１が、時刻情報に対応する表示信号を、表示部５４に出力することによって、時刻情報が表示部５４に表示される。また、情報表示部６１が、設定情報に対応する表示信号を、表示部５４に出力することによって、設定情報が表示部５４に表示される。これにより、時刻情報及び／又は設定情報が表示部５４に出力される。なお、各種情報も、同様の形態で表示される。
【０１６０】
情報設定部６２は、第２命令指示部５３からの命令に基づいて、各種情報を設定する。例えば、情報設定部６２は、図示しない情報設定画面において、第２命令指示部５３を操作することによって、各種情報を任意の値に設定可能である。
【０１６１】
例えば、情報設定部６２は、第２命令指示部５３からの命令に基づいて、時刻閾値を設定可能である。上述したように第２命令指示部５３の操作によって時刻閾値が設定されると、情報設定部６２は、この時刻閾値を認識し記録部５６に記録する。このようにして、情報設定部６２は、時刻閾値を設定する。
【０１６２】
モード切換部６３は、テーブル制御モードとスイッチ制御モードとを切り換える。詳細には、モード切換部６３は、設定情報すなわち照明モードの識別情報に基づいて、テーブル制御モードとスイッチ制御モードとを、切り換える。
【０１６３】
例えば、初期設定では、テーブル制御モードの識別情報が、デフォルト値として、設定されている。この状態において、上述したように第２命令指示部５３の操作によってテーブル制御モード又はスイッチ制御モードが選択されると、モード切換部６３は、ここで選択された照明モードの識別情報を認識し、この識別情報を記録部５６に記録する。この識別情報によって、モード切換部６３は、現状の照明モードがテーブル制御モードであるかスイッチ制御モードであるかを判断する。
【０１６４】
照明制御部６４は、時刻情報及び設定情報に基づいて、照明装置４０を制御するための制御信号を、自動的に外部に出力する。詳細には、照明制御部６４は、照明モードに応じて、時刻情報及び設定情報に基づいて、駆動ユニットを介して制御信号を照明装置４０に自動的に出力する。
【０１６５】
例えば、照明制御部６４は、照明モードの識別情報を、判断する。ここで、照明モードの識別情報が、テーブル制御モードの識別情報である場合は、照明制御部６４は、時刻情報及び設定情報に基づいて、照明装置４０を点灯させるための点灯信号、又は照明装置４０を消灯させるための消灯信号を、照明装置４０に出力する。
【０１６６】
より具体的には、照明制御部６４は、記録部５６に記録された時刻情報及び時刻テーブルを、認識する。時刻情報が時刻テーブルの点灯時刻に到達した場合、照明制御部６４は、点灯信号を照明装置４０に出力する。また、時刻情報が消灯時刻に到達した場合、照明制御部６４は、消灯信号を照明装置４０に出力する。
【０１６７】
一方で、照明モードの識別情報が、スイッチ制御モードの識別情報である場合は、照明制御部６４は、第２命令指示部５３からの点灯命令又は消灯命令に基づいて、照明装置４０に点灯信号又は消灯信号を出力する。なお、照明制御部６４は、第２命令指示部５３からの点灯命令又は消灯命令を認識した際には、照明装置４０に点灯信号又は消灯信号を出力する。
【０１６８】
（記録部）
記録部５６は、各種情報を記録可能である。各種情報には、制御部１５５がアクセス可能である。制御部１５５は、各種情報を参照しながら、表示部５４の表示制御と、照明装置４０の点消灯制御とを、実行する。
【０１６９】
記録部５６は、例えば、ＲＯＭ及びＲＡＭから、構成されている。上述したデフォルト値は、ＲＯＭに記録される。制御部１５５が処理中の情報、例えば設定情報及び時刻情報は、ＲＡＭに記録される。
【０１７０】
＜サイクルコンピュータによる照明装置の制御＞
上記の構成を有する自転車１０１において、サイクルコンピュータ１５０によって照明装置４０が制御される場合の例を、図５，図９，及び図１０のフローを参照して、説明する。これらフローは、変速モードが自動変速モードであっても手動変速モードであっても、成立する。なお、サイクルコンピュータ１５０の全体制御については、第１実施形態と実質的に同じであるので、ここでは説明を省略する。
【０１７１】
（制御情報の設定）
以下では、図９を参照して、制御情報の設定のフローについて、説明する。このフローは、図５のステップ２（Ｓ２）の処理を詳細に説明したものである。
【０１７２】
ここでは、制御部１５５は、第２命令指示部５３からの命令を認識し、制御情報の設定例えば設定情報の設定を行う。設定情報の設定には、例えば、照明モードの設定及び時刻閾値の設定が、含まれる。なお、設定情報の設定は、第１実施形態と実質的に同じであるので、簡単に説明する。
【０１７３】
まず、照明モードが、上述したように、第２命令指示部５３からの命令に基づいて、センサ制御モード又はスイッチ制御モードに、設定される（Ｓ４１）。すると、モード切換部６３は、照明モード（センサ制御モード又はスイッチ制御モード）に対応する識別情報を、記録部５６に記録する。すると、情報表示部６１が、第２命令指示部５３によって設定された照明モードの状態を、表示部５４に表示する（Ｓ４２）。次に、情報設定部６２が、上述したように、第２命令指示部５３からの命令に基づいて、時刻閾値（点灯時刻・消灯時刻）を設定する（Ｓ４３）。すると、設定中の照度閾値が、表示部５４に表示される（Ｓ４４）。
【０１７４】
なお、ここでは、照明モードの設定、時刻閾値の設定の順に説明したが、時刻閾値の設定及び照明モードの設定は、どのような順番で設定してもよい。また、照明モードの設定及び時刻閾値の設定は、後述する照明装置４０の制御中においても、実行可能である。
【０１７５】
（照明装置の制御）
以下では、図１０を参照して、照明装置４０の制御のフローについて、説明する。このフローは、図５のステップ３（Ｓ３）の処理を詳細に説明したものである。
【０１７６】
まず、照明制御部６４は、計時部１５２の時刻情報例えば現在の時刻と、時刻テーブル例えば点灯時刻及び消灯時刻とを、認識する（Ｓ５１）。次に、照明制御部６４は、照明モードの識別情報に基づいて、照明モードを判断する（Ｓ５２）。例えば、照明制御部６４は、照明モードの識別情報に基づいて、照明モードがテーブル制御モードであるか否かを、判断する。
【０１７７】
ここで、照明モードの識別情報が、テーブル制御モードの識別情報である場合（Ｓ５２でＹｅｓ）、照明制御部６４は、現在の時刻と、時刻テーブルの点灯時刻及び消灯時刻とを比較し、照明装置４０に点消灯信号を出力する。
【０１７８】
具体的には、照明制御部６４は、現在の時刻（時刻情報）が時刻テーブルの点灯時刻を通過したか否かを、判断する（Ｓ５３）。ここで、現在の時刻が時刻テーブルの点灯時刻に通過した場合（Ｓ５３でＹｅｓ）、照明制御部６４は、点灯信号を照明装置４０に出力する。すると、照明装置４０の発光体４２が発光する（Ｓ５４）。なお、現在の時刻が時刻テーブルの点灯時刻に未到達である場合（Ｓ５３でＮｏ）、照明制御部６４は、ステップ５３（Ｓ５３）の処理を継続する。
【０１７９】
続いて、照明制御部６４は、時刻情報が時刻テーブルの消灯時刻を通過したか否かを、判断する（Ｓ５５）。ここで、時刻情報が消灯時刻に通過した場合（Ｓ５５でＹｅｓ）、照明制御部６４は、消灯信号を照明装置４０に出力する。すると、照明装置４０の発光体４２は、発光を停止する。なお、時刻情報が消灯時刻に未到達である場合（Ｓ５５でＮｏ）、照明装置４０の発光体４２は発光を継続する（Ｓ５４）。
【０１８０】
一方で、照明モードの識別情報が、スイッチ制御モードの識別情報である場合（Ｓ５２でＮｏ）、照明制御部６４は、第２命令指示部５３から点灯命令又は消灯命令が出力されたか否かを判断する（Ｓ５７）。ここで、照明制御部６４が、第２命令指示部５３からの点灯命令を認識した場合（Ｓ５７でＹｅｓ）、照明制御部６４は、点灯信号を照明装置４０に出力する。すると、照明装置４０の発光体４２が発光する（Ｓ５８）。
【０１８１】
そして、所定の時間が経過した場合、照明制御部６４は、消灯信号を照明装置４０に自動的に出力する。すると、照明装置４０の発光体４２が発光を停止する（Ｓ５９）。これにより、スイッチ制御モードにおける照明装置４０の消し忘れを、防止できる。なお、照明制御部６４は、第２命令指示部５３からの消灯命令を認識した場合（Ｓ５７でＮｏ）、照明装置４０に消灯信号を出力する。この場合も、照明装置４０は消灯する（Ｓ５９）。
【０１８２】
なお、スイッチ制御モードでは、計時部１５２による制御を自動的に停止させてもよい。つまり、スイッチ制御モードにおいては、第２命令指示部５３のみにより照明装置４０を点消灯制御するようにしてもよい。
【０１８３】
最後に、照明制御部６４が、計時部１５２の処理を停止するための処理停止命令を受けたか否かを判断する（Ｓ６０）。ここで、照明制御部６４が処理停止命令を認識した場合（Ｓ６０でＹｅｓ）、照明制御部６４は照明装置４０の制御を停止する（Ｓ６１）。なお、照明制御部６４が処理停止命令を認識しない限り（Ｓ６０でＮｏ）、ステップ５１（Ｓ５１）からステップ６１（Ｓ６１）までの処理が、繰り返し実行される。
【０１８４】
＜第３実施形態＞
本発明の第３実施形態に係る自転車用の操作装置を採用した自転車１０１は、変速操作ユニット１１９の構成及びサイクルコンピュータ２５０の構成を除いて、第１実施形態の自転車１０１の構成と、実質的に同じである。このため、ここでは、第１実施形態と同じ構成については説明を省略し、変速操作ユニット１１９及びサイクルコンピュータ２５０の説明のみを行う。変速操作ユニット１１９及びサイクルコンピュータ２５０の説明についても、第１実施形態と同じ構成については、説明を省略する場合がある。なお、ここで省略された説明については、第１実施形態の説明に準ずる。
【０１８５】
第１及び第２実施形態では、サイクルコンピュータ５０，１５０によって照明装置４０が制御される場合の例を示したが、第３実施形態では、変速操作ユニット１１９（操作装置の一例）によって照明装置４０が制御される。
【０１８６】
＜変速操作ユニット＞
変速操作ユニット１１９は、アシスト機構１１５を介して、照明装置４０に接続されている。変速操作ユニット１１９は、照明装置４０を制御可能である。なお、変速操作ユニット１１９が、アシスト機構１１５を介して、照明装置４０を制御する例を示すが、変速操作ユニット１１９が直接照明装置４０と接続されて、照明装置４０を制御するように構成してもよい。
【０１８７】
また、変速操作ユニット１１９は、アシスト機構１１５を介して、サイクルコンピュータ２５０に接続されている。図１１に示すように、変速操作ユニット１１９は、ユニット本体２３０と、照度センサ５２と、第１命令指示部２０と、第１制御部２３１（図１２を参照）と、第１記録部２３２（図１２を参照）とを、備える。
【０１８８】
（ユニット本体）
図１１に示すように、ユニット本体２３０は、ハンドル１０４に着脱自在に装着される。例えば、ユニット本体２３０は、グリップ１０４ａ近傍において、ブラケットを介して、ハンドル１０４に着脱自在に装着されている。
【０１８９】
（照度センサ）
図１１に示すように、照度センサ５２は、外部環境の照度を検知する。照度センサ５２は、ユニット本体２３０に配置される。照度センサ５２の他の構成は、第１実施形態の構成と実質的に同じであるので、ここでは説明を省略する。
【０１９０】
（第１命令指示部）
第１命令指示部２０は、第１制御部２３１に命令を指示可能である。図１１に示すように、第１命令指示部２０は、ユニット本体２３０に配置される。第１命令指示部２０は、第１変速操作ボタン２１、第２変速操作ボタン２２、操作ダイヤル２３、及び照明制御ボタン２４を、有している。第１及び第２変速操作ボタン２１，２２の構成と、及び操作ダイヤル２３の構成とは、第１実施形態の構成と実質的に同じであるので、ここでは説明を省略する。
【０１９１】
照明制御ボタン２４は、照明装置４０に点消灯信号を出力するために用いられる。照明装置４０が点灯状態である場合に、照明制御ボタン２４が押されると、消灯命令が第１制御部２３１に出力され、照明装置４０が消灯する。一方で、照明装置４０が消灯状態である場合に、照明制御ボタン２４が押されると、点灯命令が第１制御部２３１に出力され、照明装置４０が点灯する。
【０１９２】
また、照明制御ボタン２４は、照度センサ５２にセンサ起動信号及びセンサ停止信号を出力するために用いられる。照度センサ５２が起動状態である場合に、照明制御ボタン２４が長押しされると、照度センサ５２が停止する。一方で、照度センサ５２が停止状態である場合に、照明制御ボタン２４が長押しされると、照度センサ５２が起動する。
【０１９３】
（第１制御部）
第１制御部２３１は、ＣＰＵ（Central processing unit）を含むマイクロコンピュータから、構成されている。第１制御部２３１は、本体部５１に配置される。
【０１９４】
第１制御部２３１は、主に、内装変速機１１８の変速制御と、照明装置４０の照明制御とを、実行する。第１制御部２３１は、変速制御部１５６と、照明制御部６４と、センサ制御部６５とを、有している。
【０１９５】
変速制御部１５６は、内装変速機１１８に対して制御命令を出力する。例えば、変速制御部１５６は、操作ダイヤル２３の操作によって設定されるモード（自動変速モード又は手動変速モード）に応じて、内装変速ハブ１２０に変速命令を出力する。
【０１９６】
変速命令には、モード命令が含まれている。モード命令が自動変速モードを示す場合、車速センサからの車速信号に基づいて、内装変速ハブ１２０は自動変速する。また、モード命令が手動変速モードを示す場合、第１及び第２変速操作ボタン２１，２２の操作によって設定される変速段で、内装変速ハブ１２０は動作する。なお、モード選択命令がパーキングモードを示す場合、内装変速ハブ１２０はロックされる。
【０１９７】
照明制御部６４は、照度情報及び設定情報に基づいて、照明装置４０を制御するための制御信号を、自動的に外部に出力する。詳細には、照明制御部６４は、照度情報及び設定情報に基づいて、駆動ユニットを介して制御信号を照明装置４０に自動的に出力する。照明制御部６４の他の構成は、第１実施形態の構成と実質的に同じであるので、ここでは説明を省略する。
【０１９８】
センサ制御部６５は、照度センサ５２を制御する。例えば、センサ制御部６５は、照明制御ボタン２４からのセンサ起動信号又はセンサ停止信号に基づいて、照度センサ５２の起動又は停止を制御する。
【０１９９】
より具体的には、センサ制御部６５が、照明制御ボタン２４からのセンサ停止命令を認識すると、センサ停止信号を照度センサ５２に出力する。これにより、照度センサ５２が停止する。また、センサ制御部６５が、照明制御ボタン２４からのセンサ起動命令を認識すると、センサ起動信号を照度センサ５２に出力する。これにより、照度センサ５２が起動する。なお、センサ制御部６５が照度センサ５２を停止しない限り、照度センサ５２は常に動作している。
【０２００】
（第１記録部２３２）
第１記録部２３２は、各種情報を記録可能である。各種情報には、第１制御部２３１がアクセス可能である。第１制御部２３１は、各種情報を参照しながら、内装変速機１１８の変速制御と、照明装置４０の照明制御とを、実行する。
【０２０１】
第１記録部２３２は、例えば、ＲＯＭ及びＲＡＭから、構成されている。上述したデフォルト値は、ＲＯＭに記録される。第１制御部２３１が処理中の情報、例えば設定情報及び照度情報は、ＲＡＭに記録される。
【０２０２】
＜サイクルコンピュータ＞
図３に示すように、サイクルコンピュータ２５０は、本体部５１と、第２命令指示部５３と、表示部５４と、第２制御部１５５（図１２を参照）と、第２記録部５６（図１２を参照）とを、備える。第３実施形態では、サイクルコンピュータ２５０は、照度センサ５２を備えていない。
【０２０３】
（第２命令指示部５３）
図３に示すように、第２命令指示部５３は、本体部５１に配置される。第２命令指示部５３は、第２制御部１５５に命令を指示可能である。第２命令指示部５３は、例えば、各種情報の表示を切り換える切換ボタン、及び各種情報の設定に用いられる設定ボタンとして機能する。
【０２０４】
詳細には、第２命令指示部５３が切換ボタンとして機能する場合、第２命令指示部５３を操作することによって、所望の情報が、表示部５４に表示される。また、第２命令指示部５３が設定ボタンとして機能する場合、第２命令指示部５３の操作によって、各種情報が設定される。なお、各種情報には、変速モードの報知情報、アシスト用モータ１１６の出力情報、及び充電池１１７の状態情報等が、含まれる。
【０２０５】
（表示部）
図３に示すように、表示部５４は、本体部５１に配置される。例えば、表示部５４は、セグメント方式の液晶表示部５４である。表示部５４は、各種情報を表示可能である。例えば、表示部５４は、照度情報を表示可能である。この照度情報は、アシスト機構１１５を介して、変速操作ユニット１１９（第１記憶部）から取得し、表示部５４に表示される。なお、表示部５４の他の構成は、第１実施形態の構成と実質的に同じであるので、ここでは説明を省略する。
【０２０６】
（第２制御部）
第２制御部１５５は、ＣＰＵ（Central processing unit）を含むマイクロコンピュータから、構成されている。第２制御部１５５は、本体部５１に配置される。第２制御部１５５は、主に、表示部５４の表示制御を、実行する。図１２に示すように、第２制御部１５５は、情報表示部６１を、有している。
【０２０７】
情報表示部６１は、各種情報を表示するための表示信号を、表示部５４に出力する。また、情報表示部６１は、第２命令指示部５３が表示命令を出力した場合、この表示命令に対応する表示信号を、表示部５４に出力する。
【０２０８】
例えば、情報表示部６１が、照度情報に対応する表示信号を、表示部５４に出力することによって、照度情報が表示部５４に表示される。なお、各種情報も、同様の形態で表示される。
【０２０９】
（第２記録部）
第２記録部５６は、各種情報を記録可能である。各種情報には、第２制御部１５５がアクセス可能である。第２制御部１５５は、各種情報を参照しながら、表示部５４の表示制御を実行する。なお、第２記録部５６の他の構成は、設定情報及び照度情報が第１記録部２３２に記録される点を除いて、第１実施形態の構成と実質的に同じであるので、ここでは説明を省略する。
【０２１０】
＜変速操作ユニットによる照明装置の制御＞
上記の構成を有する自転車１０１において、変速操作ユニット１１９によって照明装置４０が制御される場合の例を、図１３及び図１４のフローを参照して、説明する。これらフローは、変速モードが自動変速モードであっても手動変速モードであっても、成立する。なお、サイクルコンピュータ１５０の全体制御については、第１実施形態と実質的に同じであるので、ここでは説明を省略する。
【０２１１】
（全体制御）
まず、変速操作ユニット１１９が起動すると、図１３に示すように、第１制御部２３１は、初期設定を実行する（Ｓ７１）。例えば、初期設定では、第１制御部２３１は、第１記録部２３２に記録された各種情報のデフォルト値（制御情報のデフォルト値を含む）を、認識する。
【０２１２】
次に、第１制御部２３１は、照明装置４０の制御を実行する（Ｓ７２）。なお、設定情報の設定、及び照明装置４０の制御については、後述する。続いて、第１制御部２３１が、変速操作ユニット１１９の装置停止命令を受けたか否かを、判断する（Ｓ７３）。
【０２１３】
ここで、第１制御部２３１が、変速操作ユニット１１９の装置停止命令を受けた場合（Ｓ７３でＹｅｓ）、第１制御部２３１は、照明装置４０の制御を終了する。変速操作ユニット１１９の装置停止命令は、例えば、アシスト機構１１５の制御部（図示しない）等によって、第１制御部２３１に指示される。一方で、第１制御部２３１が変速操作ユニット１１９の装置停止命令を未認識である場合（Ｓ７３でＮｏ）、第１制御部２３１は、ステップ７２（Ｓ７２）の処理を、継続する。
【０２１４】
（照明装置の制御）
以下では、図１４を参照して、照明装置４０の制御のフローについて、説明する。このフローは、図１３のステップ７２（Ｓ７２）の処理を詳細に説明したものである。
【０２１５】
まず、センサ制御部６５が、第２命令指示部５３からの起動命令を認識すると、照度センサ５２を起動する（Ｓ８１）。すると、照度センサ５２が、外部環境の照度の検出を開始する。ここで、照度センサ５２が外部環境の照度を検出すると、この照度が照度情報として記録部５６に記録される（Ｓ８２）。
【０２１６】
次に、照明制御部６４は、照度情報及び照明閾値（第１閾値及び／又は第２閾値）を比較し、照明装置４０に点消灯信号を出力する。具体的には、照明制御部６４は、照度情報が第１閾値より大きいか否かを、判断する（Ｓ８３）。ここで、照度情報が第１閾値より大きい場合（Ｓ８３でＹｅｓ）、照明制御部６４は照明装置４０に消灯信号を出力する（Ｓ８４）。このように、照度情報が第１閾値より大きい場合、すなわち外部環境が明るい場合、照明装置４０は消灯している。なお、照明装置４０が消灯中であっても、照明制御部６４は照度情報を常に監視している（Ｓ８２）。
【０２１７】
続いて、照度情報が第１閾値以下である場合（Ｓ８３でＮｏ）、照明制御部６４は、照度情報が第２閾値より大きいか否かを、判断する（Ｓ８５）。ここで、照度情報が第２閾値より大きい場合（Ｓ８５でＹｅｓ）、すなわち照度情報が第２閾値より大きく且つ第１閾値以下である場合、照明制御部６４は、第１点灯信号を照明装置４０に出力する。すると、照明装置４０の発光体４２が、第１輝度で発光する（Ｓ８６）。このように、照度情報が第２閾値より大きく且つ第１閾値以下である場合、すなわち外部環境が暗くなってきた場合、照明装置４０は低輝度で発光する。
【０２１８】
また、照度情報が第２閾値以下である場合（Ｓ８５でＮｏ）、照明制御部６４は、第２点灯信号を、照明装置４０に出力する。すると、照明装置４０の発光体４２が、第２輝度（＞第１輝度）で発光する（Ｓ８７）。このように、照度情報が第２閾値以下である場合、すなわち外部環境が更に暗くなってきた場合、照明装置４０は、高輝度で発光する。
【０２１９】
最後に、センサ制御部６５が、第１命令指示部２０（照明制御ボタン２４）からのセンサ停止命令を受けたか否かを判断する（Ｓ８８）。ここで、センサ制御部６５が、第１命令指示部２０からのセンサ停止命令を認識した場合（Ｓ８８でＹｅｓ）、照度センサ５２の作動を停止する（Ｓ８９）。すると、照度センサ５２が、外部環境の照度の検出を停止する。なお、センサ制御部６５が、第１命令指示部２０からのセンサ停止命令を認識しない限り（Ｓ８８でＮｏ）、ステップ８２（Ｓ８２）からステップ８８（Ｓ８８）までの処理が、繰り返し実行される。
【０２２０】
＜他の実施形態＞
以上、本発明の実施形態について説明したが、本発明はこれらに限定されるものではなく、本発明の趣旨を逸脱しない限りにおいて種々の変更が可能である。
【０２２１】
（Ａ）前記第１実施形態では、サイクルコンピュータ２５０が、本体部５１と、照度センサ５２と、第２命令指示部５３と、表示部５４と、制御部５５と、記録部５６とを備える場合の例を、示した。これに加えて、サイクルコンピュータ５０が、照度センサ５２を遮蔽可能な蓋部材５９（遮蔽部）を、さらに備えていてもよい。例えば、蓋部材５９は、本体部５１に揺動可能に装着される。図１５に示すように、蓋部材５９によって、本体部５１（照度センサ５２、表示部５４、及び第２命令指示部５３を含む）が、覆われる。
【０２２２】
この場合、蓋部材５９によって照度センサ５２が覆われると、照度センサ５２が検知した照度は低下する。これにより、照明装置４０を点灯させることができる。具体的には、この場合、照度センサ５２の照度情報は、第２閾値より小さくなるので、照明制御部６４は、第２点灯信号を、照明装置４０に出力する。すると、照明装置４０の発光体４２が、第２輝度で発光する。このように構成することによって、照明装置４０を容易に点灯することができる。なお、蓋部材５９のような遮蔽部を、第３実施形態における変速操作ユニット１１９に設けてもよい。
【０２２３】
（Ｂ）前記第１から第３実施形態では、照明装置４０を制御するための制御信号が、有線接続によって、サイクルコンピュータ５０，１５０又は変速操作ユニット１１９から照明装置４０へと出力される場合の例を示した。これに代えて、照明装置４０を制御するための制御信号を、無線接続によって、サイクルコンピュータ５０，１５０又は変速操作ユニット１１９から照明装置４０へと出力してもよい。
【０２２４】
この場合、サイクルコンピュータ５０，１５０又は変速操作ユニット１１９が、無線信号出力部をさらに備える。また、照明装置４０は、無線信号受信部を、さらに備える。これにより、照明制御部６４が、点消灯信号を、無線信号送信部から照明装置４０の無線信号受信へと送信すると、この点消灯信号に基づいて、照明装置４０が点消灯する。このように構成することによって、サイクルコンピュータ２５０及び変速操作ユニット１１９を自転車に配置する際の自由度を、向上することができる。
【産業上の利用可能性】
【０２２５】
自転車用のサイクルコンピュータ、自転車用の操作装置、及び自転車用の駆動システムに、広く適用可能である。
【符号の説明】
【０２２６】
１０１  自転車
１１５  アシスト機構
１１７  充電池
１１８  内装変速機
１９，１１９  変速操作ユニット
４０  照明装置
５０，１５０，２５０  サイクルコンピュータ
５５  制御部
２３１  第１制御部
２０  第１命令指示部
５３  第２命令指示部
５２  照度センサ
１５２  計時部
５６  記録部
２３２  第１記録部
【図１】
2017030701.tif 000003
【図２】
2017030701.tif 000004
【図３】
2017030701.tif 000005
【図４】
2017030701.tif 000006
【図５】
2017030701.tif 000007
【図６】
2017030701.tif 000008
【図７】
2017030701.tif 000009
【図８】
2017030701.tif 000010
【図９】
2017030701.tif 000011
【図１０】
2017030701.tif 000012
【図１１】
2017030701.tif 000013
【図１２】
2017030701.tif 000014
【図１３】
2017030701.tif 000015
【図１４】
2017030701.tif 000016
【図１５】
2017030701.tif 000017